(57)【要約】【課題】留め作業の簡単化を図った留め具及び接ぎ具を提供する。【解決手段】被留め部材に形成された孔に挿入されることにより、前記被留め部材を留める留め具であって、前記被留め部材の前記孔に挿入される筒体部を有する第１部材と、前記筒体部に挿入される軸部を有する第２部材と、前記筒体部又は前記軸部のいずれか一方に設けられた係止部と、前記筒体部又は前記軸部のいずれか他方に設けられた被係止部とを有する係止機構とを有し、前記係止機構は、前記軸部が前記筒体部に挿入され前記係止部が前記被係止部に係止されることにより前記第１部材と前記第２部材を結合し、前記軸部が前記筒体部から引き抜かれることにより前記係止部と前記被係止部の係止が解除され前記第１部材と前記第２部材の結合を解除する。【選択図】  図１
2016223530.tif 000002
【特許請求の範囲】
【請求項１】
被留め部材に形成された孔に挿入されることにより、前記被留め部材を留める留め具であって、
前記被留め部材の前記孔に挿入される筒体部を有する第１部材と、
前記筒体部に挿入される軸部を有する第２部材と、
前記筒体部又は前記軸部のいずれか一方に設けられた係止部と、前記筒体部又は前記軸部のいずれか他方に設けられた被係止部とを有する係止機構とを有し、
前記係止機構は、
前記軸部が前記筒体部に挿入され前記係止部が前記被係止部に係止されることにより前記第１部材と前記第２部材を結合し、前記軸部が前記筒体部から引き抜かれることにより前記係止部と前記被係止部の係止が解除され前記第１部材と前記第２部材の結合を解除することを特徴とする留め具。
【請求項２】
前記筒体部は、前記軸部の挿入方向に貫通する貫通孔を有することを特徴とする請求項１に記載の留め具。
【請求項３】
前記係止部は、前記筒体部又は前記軸部のいずれか一方に設けられた突起を有するストッパであり、
前記被係止部は、前記筒体部又は前記軸部のいずれか他方に設けられ、前記突起を係止する溝であることを特徴とする請求項１又は２に記載の留め具。
【請求項４】
前記係止部を前記被係止部に向け付勢する弾性部材を設けたことを特徴とする請求項３に記載の留め具。
【請求項５】
被留め部材に形成された孔に挿入される筒体部を有する第１部材と、前記筒体部に挿入される軸部を有する第２部材との間に配設される接ぎ具であって、
筒状の接ぎ具本体と、
前記接ぎ具本体又は前記軸部のいずれか一方に設けられた係止部と、前記接ぎ具本体又は前記軸部のいずれか他方に設けられた被係止部とを有する接ぎ具係止機構と、
前記接ぎ具本体と前記第１部材を接合する接合機構とを有し、
前記接ぎ具係止機構は、
前記軸部が前記接ぎ具本体に挿入され前記係止部が前記被係止部に係止されることにより前記第１部材と前記接ぎ具本体を結合し、
前記軸部が前記接ぎ具本体から引き抜かれることにより前記係止部と前記被係止部の係止が解除され前記接ぎ具本体と前記第２部材の結合を解除することを特徴とする接ぎ具。
【請求項６】
前記接ぎ具本体は、前記軸部の挿入方向に貫通する貫通孔を有することを特徴とする請求項５に記載の接ぎ具。
【請求項７】
前記接合機構は、雄ネジと雌ねじにより構成されることを特徴とする請求項５又は６の接ぎ具。
【請求項８】
前記係止部は、前記接ぎ具本体又は前記軸部のいずれか一方に設けられた突起を有するストッパであり、
前記被係止部は、前記接ぎ具本体又は前記軸部のいずれか他方に設けられ、前記突起を係止する溝であることを特徴とする請求項５乃至７のいずれか一項に記載の接ぎ具。
【請求項９】
前記係止部を前記被係止部に向け付勢する弾性部材を設けたことを特徴とする請求項８に記載の接ぎ具。
【発明の詳細な説明】
【技術分野】
【０００１】
本発明は、留め具及び接ぎ具に関する。
【背景技術】
【０００２】
例えば、台紙の増減ができるアルバムでは、留め具を用いて複数の台紙を留める（綴じる）ことが行われる。従来の留め具は、ネジが利用されていた。即ち、従来の留め具は、雄ネジ部を有するピンと、雄ネジ部が螺合する雌ねじ部を有するビスとにより構成されていた。
【０００３】
そして台紙を留める（綴じる）には、綴じようとする台紙の綴じ穴の一方（例えば裏側）からビスを挿入すると共に他方（例えば表側）からピンを挿入し、雄ネジ部を雌ねじ部に螺着することにより複数の台紙を留めることが行われていた。
【０００４】
また、台紙の綴じ枚数が多い場合には、ビスとピンの間にツギビスを追加することが行われる。このツギビスは、一端にビスの雌ねじ部と螺合する雄ネジ部が形成され、他端部にピンの雄ネジ部と螺合する雌ねじ部が形成されていた。
【先行技術文献】
【特許文献】
【０００５】
【特許文献１】実開平０７−０３７６５６号公報
【発明の概要】
【発明が解決しようとする課題】
【０００６】
しかしながら従来の留め具は、ビスにピン又はツギビスを取り付ける時、またビス又はツギビスにピンを取り付け時にネジ止め作業が必要となり、台紙の留め作業（綴じ作業）゛か面倒であるという問題点があった。
【０００７】
本発明のある態様の例示的な目的のひとつは、留め作業の簡単化を図った留め具及び接ぎ具を提供することにある。
【課題を解決するための手段】
【０００８】
本発明のある態様によると、
被留め部材に形成された孔に挿入されることにより、前記被留め部材を留める留め具であって、
前記被留め部材の前記孔に挿入される筒体部を有する第１部材と、
前記筒体部に挿入される軸部を有する第２部材と、
前記筒体部又は前記軸部のいずれか一方に設けられた係止部と、前記筒体部又は前記軸部のいずれか他方に設けられた被係止部とを有する係止機構とを有し、
前記係止機構は、
前記軸部が前記筒体部に挿入され前記係止部が前記被係止部に係止されることにより前記第１部材と前記第２部材を結合し、前記軸部が前記筒体部から引き抜かれることにより前記係止部と前記被係止部の係止が解除され前記第１部材と前記第２部材の結合を解除する。
【発明の効果】
【０００９】
本発明のある態様によると、留め作業の簡単化を図ることができる。
【図面の簡単な説明】
【００１０】
【図１】一実施形態による留め具を示す分解斜視図である。
【図２】一実施形態による留め具を用いたアルバムを示す斜視図である。
【図３】一実施形態による留め具の動作を説明するための一部断面図であり、（Ａ）はピンの取り付け前の状態を示す図であり、（Ｂ）はピンの取り付け後の状態を示す図である。
【図４】接ぎ具を追加した留め具を示す分解斜視図である。
【図５】留め具及び接ぎ具の動作を説明するための一部断面図であり、（Ａ）はピン及び接ぎ具の取り付け前の状態を示す図であり、（Ｂ）はピン及び接ぎ具の取り付け後の状態を示す図である。
【発明を実施するための形態】
【００１１】
次に、添付の図面を参照しながら、本発明の限定的でない例示の実施形態について説明する。
【００１２】
なお、添付した全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１３】
また、以下説明する実施形態は、発明を限定するものではなく例示であって、実施形態に記述される全ての特徴やその組み合わせは、必ずしも発明の本質的なものであるとは限らない。
【００１４】
図１は、留め具の一実施形態を説明する図である。
【００１５】
本実施形態では、図２に示すアルバム２７の台紙２８を被留め部材とする留め具１Ａを例に挙げて説明する。しかしながら、留め具１Ａの適用はアルバム２７に限定されるものではなく、例えば透明樹脂板を被留め部材とする写真スタンド、書類を被留め部材とするバインダ等、種々の被留め部材を留める（綴じる）留め具として用いることが可能なものである。
【００１６】
アルバム２７は、被留め部材となる複数の台紙２８、折り返し片３０ａを有した表表紙２９ａ，折り返し部３０ｂを有する裏表紙２９ｂを有している。折り返し片３０ａ，３０ｂ及び台紙２８には、それぞれ綴じ穴（図示せず）が形成されている。この綴じ穴に留め具１Ａを装着することにより、台紙２８及び折り返し片３０ａ，３０ｂは留められた（綴じられた）状態になる。
【００１７】
留め具１Ａは、図１及び図３に示すように、留め具本体２、ピン３、係止機構９を有している。留め具本体２及びピン３は、本実施形態では金属（例えばステンレス）により形成しているが、樹脂等の他の材料により形成することも可能である。
【００１８】
留め具本体２は、本体側鍔部１０、筒体部１１、ストッパ１２、バネ１３を有している。
【００１９】
本体側鍔部１０は、台紙２８及び折り返し片３０ａ，３０ｂに形成された綴じ穴の直径よりも大きな直径を有している。
【００２０】
筒体部１１は本体側鍔部１０と一体的な構成とされており、本体側鍔部１０に立設している。また本体側鍔部１０は、台紙２８及び折り返し片３０ａ，３０ｂに形成されている綴じ穴の直径より小さな直径を有している。よって筒体部１１は、綴じ穴に挿入可能とされている。
【００２１】
筒体部１１は、貫通孔１４、雌ねじ部１５、凹部１６、孔１７を有している。
【００２２】
貫通孔１４は、筒体部１１の内部において、ピン３が挿入される方向（図中、矢印Ａで示す方向）に貫通するよう形成されている。この貫通孔１４は、本体側鍔部１０をも貫通するよう形成されている。即ち、貫通孔１４は、本体側鍔部１０及び筒体部１１を貫通するよう形成されている。
【００２３】
雌ねじ部１５は、貫通孔１４のピン３が挿入される側の端部に形成されている。
【００２４】
凹部１６は環状に形成されており、ストッパ１２及びバネ１３が取り付けられる。また凹部１６には一対の孔１７が形成されており、各孔１７は対向するよう１８０°間隔で配置されている。
【００２５】
ストッパ１２及びバネ１３は、ピン３に形成された係止溝８と共に係止機構９を構成する。なお、ストッパ１２及びバネ１３については、説明の便宜上、後述するものとする。
【００２６】
ピン３は、ピン側鍔部４と軸部５を有している。
【００２７】
ピン側鍔部４は、台紙２８及び折り返し片３０ａ，３０ｂに形成された綴じ穴の直径よりも大きな直径を有している。本実施形態では、留め具本体２の本体側鍔部１０と同一直径とされている。
【００２８】
軸部５はピン側鍔部４と一体的な構成とされており、ピン側鍔部４に立設された構成とされている。また軸部５は、小径部６と大径部７を有している（図３参照）。大径部７の一端部はピン側鍔部４に接合され、小径部６は大径部７の他端部に接合されている。
【００２９】
小径部６の直径は、筒体部１１に形成された貫通孔１４の直径よりも若干小さく設定されている。また大径部７の直径は、筒体部１１に形成された雌ねじ部１５の内径よりも若干小さく設定されている。よって、ピン３を留め具本体２に挿入した際、小径部６は貫通孔１４内に挿入され、大径部７は雌ねじ部１５内に挿入される。
【００３０】
また小径部６には、係止溝８が形成されている。この係止溝８は、ストッパ１２及びバネ１３と共に係止機構９を構成する。
【００３１】
次に、係止機構９について説明する。
【００３２】
係止機構９は、係止溝８、ストッパ１２、バネ１３を有している。
【００３３】
係止溝８は、ピン３の小径部６に形成されている。この係止溝８は小径部６よりも小径とされており、環状に形成されている。係止溝８は小径部６に溝加工を行うことにより形成することができ、よって容易に形成することができる。
【００３４】
ストッパ１２は、ベース１８に突起部１９が形成された構造とされている。ベース１８は板状の部材であり、凹部１６の外形に沿った湾曲形状とされている。
【００３５】
突起部１９は、ストッパ１２に内側に向け突出するよう形成されている。この突起部１９は、ストッパ１２が筒体部１１に形成された凹部１６に装着された際、凹部１６に形成された孔１７の内部に挿入する。またこの挿入された状態において、突起部１９の先端部は貫通孔１４の内壁よりも内側に突出するよう構成されている。
【００３６】
このストッパ１２は、凹部１６に形成された一対の孔１７に対応し、凹部１６に２個配設される。また、突起部１９（係止部）の形状は係止溝８（被係止部）の形状と対応するよう構成されており、よって突起部１９は係止溝８に係止可能な構成とされている。
【００３７】
バネ１３は、一対のストッパ１２を凹部１６に装着した後、このストッパ１２を覆うように凹部１６に配設される。このバネ１３は、ストッパ１２を内側（貫通孔１４の内部）に向けて弾性付勢する。よって、突起部１９も、貫通孔１４の内部に向けて弾性付勢される。
【００３８】
なお本実施形態のバネ１３は、板状のバネ材を筒状に成形すると共に一部にスリット２０が形成された構成とした。しかしなから、バネ１３の構成は本実施形態の構成に限定されるものではなく、ストッパ１２を凹部１６に向け弾性力を付勢できるものであれば、コイルばね等の他の弾性手段を用いることも可能である。
【００３９】
次に、留め具１Ａの動作について説明する。
【００４０】
留め具１Ａを用いてアルバム２７の台紙２８を留める（綴じる）には、先ず一対の折り返し片３０ａ，３０ｂの間に複数の台紙２８を装着すると共に各綴じ穴が一致するよう整列させる（図２参照）。
【００４１】
次に、留め具本体２の筒体部１１を裏側の折り返し片３０ｂの綴じ穴から台紙２８の各綴じ穴に挿入する。また筒体部１１が綴じ穴に挿入されると、続いてピン３の軸部５を表側から綴じ穴に挿入する。
【００４２】
軸部５を挿入する際、台紙２８の綴じ穴には留め具本体２の筒体部１１が挿入されている。よってピン３の軸部５は、筒体部１１の内部に挿入される（図１及び図３（Ａ）参照）。
【００４３】
軸部５が筒体部１１に挿入されることにより、軸部５の小径部６は貫通孔１４内に進行し、大径部７は雌ねじ部１５に進行する。一方、貫通孔１４には、係止機構９を構成するストッパ１２の突起部１９が突出している。このため、ピン３の留め具本体２内への挿入に伴い、小径部６の先端部は突起部１９に当接する。なお以下の説明において、小径部６の先端部が突起部１９に当接した状態を当接状態という。
【００４４】
当接状態から、ピン側鍔部４を更に強く留め具本体２に向け（矢印Ａ方向に向け）押圧すると、軸部５の先端部が突起部１９を押圧するため、バネ１３の弾性変形に伴い突起部１９は外側に変位し、軸部５（小径部６）の挿入を許容する。よって軸部５は更に貫通孔１４内を進行し、これに伴い突起部１９は相対的に小径部６の外周面を摺動する。
【００４５】
そして、係止溝８が突起部１９と対向する位置までピン３が進行すると、バネ１３のバネ力により突起部１９は係止溝８に嵌入し、これにより係止溝８は突起部１９により係止される。図３（Ｂ）は、係止溝８が突起部１９に係止された状態を示している。以下、係止溝８が突起部１９に係止された状態を係止状態という。
【００４６】
この係止状態では、係止溝８が突起部１９に係止されることによりピン３の留め具本体２からの離脱が規制される。よって、留められた（綴じられた）台紙２８が留め具１Ａから離脱するようなことはない。
【００４７】
なお、係止溝８と突起部１９との係止力はバネ１３のバネ力により調整することができる。このバネ１３のバネ力は、通常のアルバム２７の使用態様によっては係止溝８と突起部１９の係止が解除されないよう設定されている。
【００４８】
一方、台紙２８の増減を行う時には、留め具本体２からピン３を引き抜く必要がある。即ち、台紙２８の増減を行う時には、係止溝８と突起部１９との係止を解除させる必要がある。
【００４９】
係止溝８と突起部１９との係止を解除させるには、留め具本体２の本体側鍔部１０に形成された貫通孔１４から治具を挿入して軸部５押圧する（治具の挿入方向を図３（Ｂ）に矢印Ｂで示す）。この際、係止溝８と突起部１９との係止を解除させうる力で軸部５を押圧操作することにより、係止溝８と突起部１９との係止は解除することができる。係止溝８と突起部１９の係止が解除されることにより、留め具本体２からピン３を引き抜くことができ、台紙２８の装着脱を行うことが可能になる。
【００５０】
なお治具としては、棒状であり軸部５を押し上げられるものであれば、特にその種類を限定されるものではない。例えば、ボールペンのような筆記道具、スプーンの柄、ドライバー等を用いることが可能である。
【００５１】
上記のように本実施形態の留め具１Ａは、被留め部材となる台紙２８を留める（綴じる）時には、単にピン３を留め具本体２に向け押し込む操作を行うだけで、ピン３を留め具本体２にワンタッチで係止することができる。
【００５２】
また、係止状態にある留め具１Ａにおいて留め具本体２からピン３を引き抜くには、本体側鍔部１０に貫通孔１４が貫通しているため、本体側鍔部１０側から治具を挿入し軸部５を押し上げることにより、容易に係止溝８と突起部１９の係止を解除させることができる。
【００５３】
このように本実施形態の留め具１Ａでは、ピン３を留め具本体２に係止させる操作、及びピン３を留め具本体２から引き抜く操作を簡単に行うことができる。
【００５４】
ところで、台紙２８の綴じ枚数が多くなり、筒体部１１の長さでは留めきれなくなることがある。このような場合には、留め具本体２に接ぎ具２２を連結する。以下、接ぎ具２２について説明する。
【００５５】
図４及び図５は、接ぎ具２２を用いた留め具１Ｂを示している。
【００５６】
なお、図４及び図５において、図１乃至図３に示した構成と対応する構成については同一符号を付し、その説明は適宜省略するものとする。
【００５７】
留め具１Ｂは、図１及び図２を用いて説明した留め具本体２とピン３との間に接ぎ具２２を設けた構成とされている。なお、留め具本体２とピン３の間に配設される接ぎ具２２の個数は特に限定されるものではなく、任意の個数を配設することができる。図４及び図５に示す例では、留め具本体２とピン３との間に１個の接ぎ具２２を設けた例に説明するものとする。
【００５８】
接ぎ具２２は、接ぎ具本体２３、ストッパ１２、バネ１３を有している。
【００５９】
接ぎ具本体２３は留め具本体２の筒体部１１と同一直径とされており、雄ネジ部２４、貫通孔３４、雌ねじ部３５、凹部３６、孔３７を有している。
【００６０】
雄ネジ部２４は、接ぎ具本体２３の下端部に形成されている。この雄ネジ部２４は、留め具本体２に形成された雌ねじ部と螺着可能な構成とされている。
【００６１】
貫通孔３４は、接ぎ具本体２３の内部において、ピン３が挿入される方向に貫通するよう形成されている。この貫通孔３４は、接ぎ具２２を留め具本体２に装着した際、留め具本体２に形成された貫通孔１４と連通する。
【００６２】
雌ねじ部３５は、貫通孔３４のピン３が挿入される側の端部に形成されている。この雌ねじ部３５には、接ぎ具２２に加え、更に他の接ぎ具２２を接続する場合、他の接ぎ具２２の雄ネジ部２４が螺着される。
【００６３】
凹部３６は環状に形成されており、係止機構９を構成するストッパ１２及びバネ１３が取り付けられる。また凹部３６には一対の孔３７が１８０°間隔で配置されている。
【００６４】
ストッパ１２及びバネ１３は、ピン３に形成された係止溝８と共に係止機構９を構成する。この係止機構９を構成する係止溝８，ストッパ１２，及びバネ１３は、図１及び図２を用いて説明したものと同一であるため、その説明は省略する。
【００６５】
ストッパ１２の突起部１９は、ストッパ１２が接ぎ具本体２３に形成された凹部３６に装着された際、凹部３６に形成された孔３７の内部に挿入する。またこの挿入された状態において、突起部１９の先端部は貫通孔３４の内壁よりも内側に突出するよう構成されている。またバネ１３は、ストッパ１２を凹部３６に装着した後、このストッパ１２を覆うように凹部３６に配設される。
【００６６】
次に、留め具１Ｂの動作について説明する。
【００６７】
留め具１Ｂを用いてアルバム２７の台紙２８を留める（綴じる）には、先ず留め具本体２に接ぎ具２２を接合する。接ぎ具２２を留め具本体２に接合するには、接ぎ具２２に設けられた雄ネジ部２４を留め具本体２に設けられた雌ねじ部に螺着（ネジ止め）させる。これにより、接ぎ具２２は留め具本体２に接合される。
【００６８】
雄ネジ部２４を雌ねじ部に螺着する作業は、台紙２８に留め具本体２及び接ぎ具２２を挿通する前に行われる。このため、作業者は留め具本体２と接ぎ具２２のみを手に持ってネジ止めを行えるため、容易に行うことができる。
【００６９】
接合された筒体部１１と接ぎ具本体２３は、綴じ穴に対して裏側から挿入される。この際、留め具本体２に接ぎ具２２が接合されているため、留め具本体２のみの場合に比べて接ぎ具２２の長さに対応する分だけ台紙２８を多く留める（綴じる）ことができる。
【００７０】
アルバム２７の綴じ穴に筒体部１１及び接ぎ具本体２３が挿入されると、続いてピン３の軸部５が綴じ穴の表側から挿入される。台紙２８の綴じ穴には留め具本体２の筒体部１１及び接ぎ具２２の接ぎ具本体２３が挿入されている。また接ぎ具本体２３は、筒体部１１に対して表側に位置している。このため、ピン３の軸部５は、接ぎ具本体２３の内部に挿入される（図４及び図５（Ａ）参照）。
【００７１】
軸部５が接ぎ具本体２３に挿入されることにより、軸部５の小径部６は貫通孔３４内に進行し、大径部７は雌ねじ部３５に進行する。一方、貫通孔３４には、係止機構９を構成するストッパ１２の突起部１９が突出している。このため、ピン３の小径部６の先端部は、突起部１９に当接し当接状態となる。
【００７２】
当接状態から、ピン側鍔部４を更に強く押圧すると、バネ１３が弾性変形することにより突起部１９は外側に変位し、よって軸部５は更に貫通孔１４内を進行する。そして、係止溝８が突起部１９と対向する位置までピン３が進行すると、バネ１３のバネ力により突起部１９は係止溝８に嵌入する。
【００７３】
これにより係止溝８は突起部１９により係止され、係止機構９によりピン３の接ぎ具２２からの離脱が規制される。図５（Ｂ）は、係止溝８が突起部１９に係止された係止状態を示している。
【００７４】
一方、台紙２８の増減を行う時には、留め具本体２からピン３を引き抜く必要がある。即ち、台紙２８の増減を行う時には、係止溝８と突起部１９との係止を解除させる必要がある。
【００７５】
係止溝８と突起部１９との係止を解除させるには、本体側鍔部１０に開口している貫通孔１４から治具を挿入し、軸部５を押圧操作する。これにより、係止溝８と突起部１９との係止は解除され、接ぎ具２２からピン３を引き抜くことが可能になる。
【００７６】
上記のように接ぎ具２２を用いた留め具１Ｂにおいても、被留め部材となる台紙２８を留める（綴じる）時には、単にピン３を接ぎ具２２に向け押し込む作業を行うだけで、ピン３を留め具本体２に接合された接ぎ具２２に係止することができる。
【００７７】
また接ぎ具２２からピン３を引き抜くには、本体側鍔部１０に開口した貫通孔１４に治具を挿入し軸部５を押し上げるだけで良い。このため、係止溝８と突起部１９の係止を解除する作業も容易に行うことができる。
【００７８】
このように接ぎ具２２を用いた留め具１Ｂにおいても、ピン３を接ぎ具２２に係止させる操作、及びピン３を接ぎ具２２から引き抜く操作を簡単に行うことができる。
【００７９】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００８０】
具体的には、上記した実施形態では、留め具本体２に突起部１９を設けると共にピン３に係止溝８を設ける構成とした。しかしながら、ピン３に突起部１９を設けると共に留め具本体２に係止溝８を設ける構成としてもよい。
【００８１】
また上記した実施形態では、接ぎ具２２に突起部１９を設けると共にピン３に係止溝８を設ける構成とした。しかしながら、ピン３に突起部１９を設けると共に接ぎ具２２に係止溝８を設ける構成としてもよい。
【００８２】
更に、上記した実施形態では突起部１９をストッパ１２に設けることにより、留め具本体２及び接ぎ具２２と別個の構成とした。しかしながら、留め具本体２及び接ぎ具２２にスリット等を形成することによりバネ性を持たせ、このバネ性を持たせた部分に突起部１９を設けることにより、突起部１９を留め具本体２，接ぎ具２２に一体的に設けた構成としてもよい。
【符号の説明】
【００８３】
１Ａ，１Ｂ  留め具
２  留め具本体
３  ピン
４  ピン側鍔部
５  軸部
６  小径部
７  大径部
８  係止溝
９  係止機構
１０  本体側鍔部
１１  筒体部
１２  ストッパ
１３  バネ
１４，３４  貫通孔
１５，３５  雌ねじ部
１６，３６  凹部
１７，３７  孔
１８  ベース
１９  突起部
２０  スリット
２２  接ぎ具
２３  接ぎ具本体
２４  雄ネジ部
２７  アルバム
２８  台紙
【図１】
2016223530.tif 000003
【図２】
2016223530.tif 000004
【図３】
2016223530.tif 000005
【図４】
2016223530.tif 000006
【図５】
2016223530.tif 000007